(57)【特許請求の範囲】
【請求項１】
建築工事段階において、取付ボルトが螺合されそのボルトを締めることにより取付ボルトが降下するように取付ボルトを支持するフレームが下部に固着されたアンカーボルトの上部を天井上方の構造材に固定した後、フレーム下部に天井板を貼り、介護用リフターが嵌め込まれるレールの取付時には、天井板の前記取付ボルトの下部位置に天井板の下から少なくとも取付ボルトの径より大きい孔を開け、取付ボルトを締めて取付ボルトをその先端が天井板より下方に突設するまで降下させた後、取付ボルトの先端に前記レールを取り付ける方法で、
前記取付ボルトの先端にネジ部材を着脱自在に固着し、前記フレーム下部に天井板が貼られた後かつ前記レールの取付前に、取付ボルトを締めネジ部材を天井板の上面に当接させて天井板の上面から下面に貫通する小孔を開けて取付ボルトの下部位置をマークすることを特徴とする介護用天井走行リフトの取付方法。
【請求項２】
介護用リフターが嵌め込まれるレール取付用の取付ボルトと，該取付ボルトが螺合されそのボルトを締めることにより取付ボルトが降下するように取付ボルトを支持するフレームと，該フレームが下部に固着され、上部が天井上方の構造材に固定されるアンカーボルトと，を備えてなり、前記アンカーボルトは、前記フレームを天井板の上部位置で保持するものであって、前記取付ボルトの下端にネジ部材を着脱自在に固着したことを特徴とする介護用天井走行リフトの取付具。
【請求項３】
建築工事段階において、天井板の板厚よりも長いピンが先端に固着されたピン付ボルトが螺合され、ピンを下方に突設させた状態でピン付ボルトを支持するフレームが下部に固着されたアンカーボルトの上部を天井上方の構造材に固定した後、フレーム下部に貼られた天井板をフレーム側に打ちつけて天井板にピンを貫通させてピンの先にマーカーを装着し、介護用リフターが嵌め込まれるレールの取付時には、天井板の前記ピン付ボルトの下部位置に天井板の下から少なくともピン付ボルトの径より大きい孔を開けてピン付ボルトを取り外し、かわりに取付ボルトをフレームに螺合させて、取付ボルトの先端に前記レールを取り付けることを特徴とする介護用天井走行リフトの取付方法。
【請求項４】
前記ピン付ボルトの先端の頭部にはピンを中心に−（マイナス）状の溝部が形成されており、ピン付ボルトをフレームから取り外す場合には、先端が二又に分かれその二又部が少なくともピンの長さよりも長いねじ回し部材を天井板の下から入れてピン付ボルトの前記溝部に嵌合させて回すことにより行われることを特徴とする請求項３に記載の介護用天井走行リフトの取付方法。
【発明の詳細な説明】
【０００１】
【発明の属する技術分野】
本発明は、介護用天井走行リフトの取付方法および取付具に関する。より詳しくは、寝たきりの病弱者などの体をリフトで持ち上げベッドからトイレや浴槽あるいは車イスなどに移動させる天井走行リフトを屋内天井に取り付ける方法およびその取付具に関する。
【０００２】
【従来の技術】
寝たきりの病弱者など体の自由が利かない人の体をリフトで持ち上げベッドからトイレや浴槽あるいは車イスなどに移動させ、自立した生活がおくれるような天井走行リフトが知られている。天井走行リフトは、屋内天井に取り付けられた直線又は曲線のレールに持ち上げ用のリフトが嵌め込まれたものであり、手動又は電動によってリフトがそのレールに沿って自由に移動できるようにしたものである。
【０００３】
このような天井走行リフトは、病弱者などが寝たきりになった後に取り付けられるのが通常であったため、従来の天井走行リフトの取付方法は、まず設置されるレールの幅方向に少なくともレール幅より広範囲に天井板をはぎ取った後、天井上方の構造材にアンカーを打ち、そのアンカーの下部にボルトあるいは鉄筋を介してレールを取り付け用の補強金具を固着する。あるいは予め補強金具を固着しておいてもよい。そして、レールを取り付けた後に天井板を貼り、レールにリフトが嵌め込まれるものである。
【０００４】
【発明が解決しようとする課題】
しかしながら、天井走行リフトを事後に取り付ける場合には、事前に取り付ける場合と比較して天井板のはぎ取りおよび貼り直し，並びにアンカーを構造材に打つといった与分な作業を必要とする。その結果、費用がたいへん高くつくといった問題がある。取付費用だけでもおよそ２０万円位かかっていた。
一方、高齢化社会が増々進む今日においては、お年寄りがより快適な暮らしがおくれるようにするため住宅の改善が建築段階から求められている。
【０００５】
そこで本発明の目的は、建築段階から介護用天井走行リフトをいつでも、しかも簡易に取り付けられるようにしてコストの低下と作業性の向上を図ることにある。
【０００６】
【課題を解決するための手段】
上記の目的を達成するために、本発明の介護用天井走行リフトの取付方法は、建築工事段階において、取付ボルトが螺合されそのボルトを締めることにより取付ボルトが降下するように取付ボルトを支持するフレームが下部に固着されたアンカーボルトの上部を天井上方の構造材に固定した後、フレーム下部に天井板を貼り、介護用リフターが嵌め込まれるレールの取付時には、天井板の取付ボルトの下部位置に天井板の下から少なくとも取付ボルトの径より大きい孔を開け、取付ボルトを締めて取付ボルトをその先端が天井板より下方に突設するまで降下させた後、取付ボルトの先端にレールを取り付ける方法で、前記取付ボルトの先端にネジ部材を着脱自在に固着し、フレーム下部に天井板が貼られた後かつレールの取付前に、取付ボルトを締めネジ部材を天井板の上面に当接させて天井板の上面から下面に貫通する小孔を開けて取付ボルトの下部位置をマークすることを特徴とする（請求項１）。
【００１０】
本発明の介護用天井走行リフトの取付具は、介護用リフターが嵌め込まれるレール取付用の取付ボルトと，取付ボルトが螺合されそのボルトを締めることにより取付ボルトが降下するように取付ボルトを支持するフレームと，フレームが下部に固着され、上部が天井上方の構造材に固定されるアンカーボルトと，を備えてなり、アンカーボルトは、フレームを天井板の上部位置で保持するものであって、前記取付ボルトの下端にネジ部材を着脱自在に固着したことを特徴とする（請求項２）。
【００１２】
また、本発明の介護用天井走行リフトの取付方法は、建築工事段階において、天井板の板厚よりも長いピンが先端に固着されたピン付ボルトが螺合され、ピンを下方に突設させた状態でピン付ボルトを支持するフレームが下部に固着されたアンカーボルトの上部を天井上方の構造材に固定した後、フレーム下部に貼られた天井板をフレーム側に打ちつけて天井板にピンを貫通させてピンの先にマーカーを装着し、介護用リフターが嵌め込まれるレールの取付時には、天井板のピン付ボルトの下部位置に天井板の下から少なくともピン付ボルトの径より大きい孔を開けてピン付ボルトを取り外し、かわりに取付ボルトをフレームに螺合させて、取付ボルトの先端にレールを取り付けることを特徴とする（請求項３）。
【００１３】
更に好ましくは、ピン付ボルトの先端の頭部にはピンを中心に−（マイナス）状の溝部が形成されており、ピン付ボルトをフレームから取り外す場合には、先端が二又に分かれその二又部が少なくともピンの長さよりも長いねじ回し部材を天井板の下から入れてピン付ボルトの溝部に嵌合させて回すことにより行われることを特徴とする（請求項４）。
【００１５】
請求項１に記載の介護用天井走行リフトの取付方法によれば、事後的に介護用リフターが嵌め込まれるレールの取付工事をするのではなく、建築工事段階において、取付ボルトが螺合されそのボルトを締めることにより取付ボルトが降下するように取付ボルトを支持するフレームが下部に固着されたアンカーボルトの上部を天井上方の構造材に固定した後、フレーム下部に天井板を貼るので、取付具は天井上方に格納され、非取付時に取付ボルトが天井から屋内に突出することはない。そして、介護用リフターが嵌め込まれるレールの取付時には、天井板の取付ボルトの下部位置に天井板の下から少なくとも取付ボルトの径より大きい孔を開け、取付ボルトを締めて取付ボルトをその先端が天井板より下方に突設するまで降下させた後、取付ボルトの先端にレールを取り付けるので、事後的工事と比較して天井板のはぎ取り，貼り直し，並びに構造材を壊してアンカーを打つといった与分な作業をする必要はない。
【００１６】
また、取付ボルトの先端にネジ部材を着脱自在に固着し、フレーム下部に天井板が貼られた後かつレールの取付前に、取付ボルトを締めネジ部材を天井板の上面に当接させて天井板の上面から下面に貫通する小孔を開けて取付ボルトの下部位置をマークするので、レール取付時の天井板の下から孔を開ける際の位置が容易にわかり取付作業の効率が向上する。
【００１８】
また、請求項３に記載の介護用天井走行リフトの取付方法によれば、事後的に介護用リフターが嵌め込まれるレールの取付工事をするのではなく、建築工事段階において、フレームが下部に固着されたアンカーボルトの上部を天井上方の構造材に固定した後、フレーム下部に天井板を貼るので、取付具は天井上方に格納され、また取付ボルトも後付であるため非取付時に取付部材が天井から屋内に突出することはない。そして、介護用リフターが嵌め込まれるレールの取付時には、天井板の下から孔を開け、取付ボルトをピン付ボルトにかえて天井板の下から入れ天井板を貫通させてフレームに支持させてレールを取り付けるので、事後的工事と比較して天井板のはぎ取り，貼り直し，並びに構造材を壊してアンカーを打つといった与分な作業をする必要はない。
しかもフレームに螺合されたピン付ボルトにより、フレームの下部に貼られた天井板を例えば木槌などで天井板の下側からフレーム側に打ちつけるだけで簡単にレールの取付位置がわかるので取付作業を効率よく実施することができる。更にマーカーはピンに差し込まれるので容易に装着できるとともに簡単に抜け落ちる心配もない。
【００１９】
更に請求項４に記載のように好ましくは、ピン付ボルトの先端の頭部にはピンを中心に−（マイナス）状の溝部が形成されており、ピン付ボルトをフレームから取り外す場合には、先端が二又に分かれその二又部が少なくともピンの長さよりも長いねじ回し部材を天井板の下から入れてピン付ボルトの−（マイナス）状の溝部に嵌合させて回すことにより行われるので、天井板に開けられる孔の径はピン付ボルトの径より若干大きい程度でよい。また、ねじ回し部材の二又部の長さはピンの長さよりも長いので、ねじ回し部材がピンに当接することなく簡単にピン付ボルトを取り外すことができる。
【００２０】
【発明の実施の形態】
本発明の実施の形態について図面を参照して説明する。
（第１の実施の形態）
図１は本発明の第１の実施の形態に使用される介護用天井走行リフトの取付具を示す正面図である。
この取付具は、介護用リフター８が嵌め込まれるレール９取付用の取付部材として機能するボルト１と，ボルト１が下部に溶接されたボルト１の支持用のフレーム２と，フレーム２が下部３ａ，４ａに固着され、上部３ｂ，４ｂが天井上方の構造材５に固定される２本のアンカーボルト３，４などから構成されている。
【００２１】
次に取付方法について説明する。この取付方法は、介護用天井走行リフトが取り付けられる住宅の建築と同時に実施されるものであり、次の行程からなる。
第１行程では、建築工事段階において、ボルト１を支持するフレーム２が下部３ａ，４ａに固着されたアンカーボルト３，４の上部３ｂ，４ｂを天井上方の構造材５に固定する。なお、構造材５に対するアンカーボルト３，４の固定は、コンクリートを流してアンカーボルトの上部３ｂ，４ｂを固定するものでもよく、あるいはアンカーボルトの上部３ｂ，４ｂが螺合される溝部を形成した後にアンカーボルトの上部３ｂ，４ｂを挿入、螺合することで固定するものであってもよい。また、アンカーボルトの上部３ｂ，４ｂを固定した後に、下部３ａ，４ａにフレーム２を固着するようにしてもよい。
【００２２】
そして第２行程では、ボルト１の先端１ａを屋内側の下方に突設させてフレーム２の下部に天井板６を貼り、ボルト１の先端１ａに保護用キャップ７を装着する。
【００２３】
これにより、特に天井板６をはいだり、貼り直したりする必要がなく、図２に示すようにボルト１の先端１ａに、その後いつでも簡易に介護用リフター８が嵌め込まれるレール９を着脱自在に取り付けることができる。
【００２４】
（第２の実施の形態）
図３は本発明の第２の実施の形態に使用される介護用天井走行リフトの取付具を示す正面図であり、図４はそのＡ−Ａ線断面図である。なお、第１の実施の形態と同じ部分には同じ符号を記した。
この取付具は、介護用リフター８が嵌め込まれるレール９取付用の取付ボルト１１と，取付ボルト１１が螺合されそのボルト１１を締めることにより取付ボルト１１が降下するように取付ボルト１１を支持するフレーム１２と，フレーム１２が下部３ａ，４ａに固着され、上部３ｂ，４ｂが天井上方の構造材５に固定される２本のアンカーボルト３，４，取付ボルト１１の先端（下端）１１ａに着脱自在に固着されたネジ部材１３，取付ボルト１１とフレーム１２の間に介挿された緩衝用のバネスプリング１４などから構成され、アンカーボルト３，４は、フレーム１２を天井板６の上部位置で保持するようになっている。なお本実施の形態では、特にこれに限られることはないが、取付ボルト１１としてステンレスボルトを，またネジ部材１３としてプラスチックネジを使用した。
【００２５】
次に取付方法について説明する。この取付方法は、第１の実施の形態と同様に介護用天井走行リフトが取り付けられる住宅の建築と同時に実施されるものであり、次の行程からなる。図４および図５を参照して説明する。
第１行程では、建築工事段階において、図４に示すように、取付ボルト１１を支持するフレーム１２が下部３ａ，４ａに固着されたアンカーボルト３，４の上部３ｂ，４ｂを天井上方の構造材５に固定する。なお、第１の実施の形態と同様に、構造材５に対するアンカーボルト３，４の固定は、コンクリートを流してアンカーボルトの上部３ｂ，４ｂを固定するものでもよく、あるいはアンカーボルトの上部３ｂ，４ｂが螺合される溝部を形成した後にアンカーボルトの上部３ｂ，４ｂを挿入、螺合することで固定するものであってもよい。また、アンカーボルトの上部３ｂ，４ｂを固定した後に、下部３ａ，４ａにフレーム１２を固着するようにしてもよい。
【００２６】
次に第２行程では、フレーム１２の下部に天井板６を貼る。ただし、フレーム１２の下部の近傍には天井板６を貼らない部分１５を形成する。なお、その部分１５は少なくとも作業者の手が入る程度のものとする。
【００２７】
次に第３行程では、図５（ａ）に示すように、天井板６を貼らない部分１５から天井裏へ手を差し入れて取付ボルト１１を締めて、ネジ部材１３が天井板６の上面に当接するまで降下させる。そして、更に取付ボルト１１を締めてネジ部材１３の回転により天井板６を上面から下面に貫通させる。その後、図５（ｂ）に示すように、取付ボルト１１を逆に回転させて元の位置まで上昇させる。これにより天井板６には略円錐状の小孔１６が形成される。
【００２８】
次に第４行程では、図５（ｃ）に示すように、天井板６を貼らない部分１５に天井板６を貼り、小孔１６の下方から取付ボルト１１の下部位置を示すマーク用キャップ１７を装着する。
【００２９】
そして第５行程では、すなわち介護用リフター８が嵌め込まれるレール９の取付時には、図５（ｄ）に示すように、マーク用キャップ１７を外し、ドリル１８にて天井板６の下から少なくとも取付ボルト１１の径より大きい孔１９を開ける。このとき、ドリル１８の先端をネジ部材１３に当接させる。これによりネジ部材１３は取付ボルト１１の先端から外れ落ちる。その後、天井板６の下から例えばペンチなどの把持部材を挿入して取付ボルト１１を回転させ、取付ボルト１１の先端が天井板６より下方に突設するまで降下させる。なお、取付ボルト１１の先端に−（マイナス）状あるいは＋（プラス）状の溝を形成し、孔１９から挿入したドライバの先端をその溝に差し込んで取付ボルト１１を回転させるようにしてもよい。これによれば、孔１９の径は取付ボルト１１の径より若干大きい程度でよいので、天井板６には必要最小限の孔を開けるだけでよくなる。
その後、図５（ｅ）に示すように、取付ボルト１１の先端１１ａにレール９を取り付ける。
【００３０】
これにより、特に天井板６をはいだり、貼り直したりする必要がなく、ボルト１１の先端１１ａに、その後いつでも簡易に介護用リフター８が嵌め込まれるレール９を着脱自在に取り付けることができるとともに、非取付時には天井板６から取付ボルト１１が突出することがないので見栄えがよい。その上、マーク用キャップ１７により取付ボルト１１の下部位置がわかるので取付作業を効率よく実施することができる。
【００３１】
なお本実施の形態では、作業者の手を差し入れられるように天井板６を貼らない部分１５を形成したが、全面に天井板６を貼った後に天井裏に作業者が入って取付ボルト１１を回転するようにしてもよい。また、設計図などによって取付ボルト１１の下部位置が的確に把握できるものであれば特にネジ部材１３を使用して予め孔１６を開ける必要はないので全面に天井板６を貼ることもできる。
【００３２】
（第３の実施の形態）
図６は本発明の第３の実施の形態に使用される介護用天井走行リフトの取付具を示す斜視図である。なお、第１の実施の形態および第２の実施の形態と同じ部分には同じ符号を記した。
この取付具は、第１の実施の形態および第２の実施の形態と同様のアンカーボルト３，４と，そのアンカーボルト３，４の下部に固着されたフレーム２２からなり、フレーム２２には下面から上面に貫通し、かつ長手方向に延びる長孔２２ａと、その長孔２２ａに直交する係止部２２ｂとが上面に形成されている。
【００３３】
次に取付方法について説明する。この取付方法は、介護用天井走行リフトが取り付けられる住宅の建築と同時に実施されるものであり、次の行程からなる。
第１行程では、第１の実施の形態および第２の実施の形態と同様に、建築工事段階において、ボルト１を支持するフレーム２２が下部３ａ，４ａに固着されたアンカーボルト３，４の上部３ｂ，４ｂを天井上方の構造材５に固定する。
【００３４】
次に第２行程では、フレーム２２の下部に天井板６を貼る。
【００３５】
そして第３行程、すなわち介護用リフター８が嵌め込まれるレール９の取付時には、天井板６の下から長孔２２ａに対応した孔２３を開け、介護用リフター８が嵌め込まれるレール９取付用の取付部材として機能するＴボルト２４を天井板６の下から入れ長孔２２ａを介して天井板６を貫通させ、Ｔボルト２４を９０度回転させた後、係止部２２ｂにて係止させてフレーム２２に支持させる。その後、Ｔボルト２４の先端２４ａにレール９を取り付ける。なお、Ｔボルト２４の９０度回転は天井板６の下から把持部材でつかんで回転させればよい。
【００３６】
これにより、特に天井板６をはいだり、貼り直したりする必要がなく、Ｔボルト２４の先端２４ａに、その後いつでも簡易に介護用リフター８が嵌め込まれるレール９を着脱自在に取り付けることができる。またＴボルト２４は後付であるため、非取付時に天井板６からＴボルト２４が突出することがなく見栄えがよい。
【００３７】
なお図７に示すように、フレーム２２に代えて内部にネジ穴２５ａが開けられたフレーム２５に、ボルト２６をねじ込んでボルト２６の先端２６ａにレール９を取り付けるようにしてもよい。
【００３８】
（第４の実施の形態）
図８〜図１１を参照して、本発明の第４の実施の形態に使用される介護用天井走行リフトの取付具と取付方法について説明する。なお、第１の実施の形態，第２の実施の形態および第３の実施の形態と同じ部分には同じ符号を記した。
この取付具は、第１，第２および第３の実施の形態と同様のアンカーボルト３，４と，そのアンカーボルト３，４の下部３ａ，４ａに固着されたフレーム３２からなり、フレーム３２の下面には孔が開けられており、その上にはナット３３が溶接により固着されている。ナット３３には、図１１に示すような天井板６の板厚よりも長いピン３４が先端に固着されたピン付ボルト３５が螺合されている。なお、ナット３３を使用することなく、フレーム３２の下面に開けられた孔にねじを形成して直接フレーム３２にピン付ボルト３５を螺合させてもよい。また、ピン付ボルト３５の先端の頭部にはピン３４を中心に−（マイナス）状の溝部３５ａが形成されており、後端にも−（マイナス）状の溝部３５ｂが形成されている。
【００３９】
次に取付方法について説明する。この取付方法は、第１，第２および第３の実施の形態と同様に介護用天井走行リフトが取り付けられる住宅の建築と同時に実施されるものであり、次の行程からなる。
第１行程では、建築工事段階において、図８（ａ）に示すように、ピン３４を下方に突設させた状態でピン付ボルト３５を支持するフレーム３２が下部３ａ，４ａに固着されたアンカーボルト３，４の上部３ｂ，４ｂを天井上方の構造材５に固定する。なお、第１，第２および第３の実施の形態と同様に、構造材５に対するアンカーボルト３，４の固定は、コンクリートを流してアンカーボルトの上部３ｂ，４ｂを固定するものでもよく、あるいはアンカーボルトの上部３ｂ，４ｂが螺合される溝部を形成した後にアンカーボルトの上部３ｂ，４ｂを挿入、螺合することで固定するものであってもよい。また、アンカーボルトの上部３ｂ，４ｂを固定した後に、下部３ａ，４ａにフレーム３２を固着するようにしてもよい。
【００４０】
次に第２行程では、図８（ｂ）に示すように、フレーム３２の下部に天井板６を貼り、天井板６を木槌３６などでフレーム３２側に打ちつける。これにより、ピン３４が天井板６を貫通する。そして、図８（ｃ）に示すように、貫通したピン３４の先にレール取付位置のマーカー（目印）となるスモールポイント３７を差し込んで装着する。
【００４１】
次に第３行程では、すなわち介護用リフター８が嵌め込まれるレール９の取付時には、図８（ｄ）に示すように、スモールポイント３７を外し、図５（ｄ）に示したドリル１８などで天井板６の下から少なくともピン付ボルト３５の径より大きい孔３８を開ける。
その後、天井板６の下から、図１１に示すような、先端が二又に分かれその二又部４０ａが少なくともピン３４の長さよりも長いねじ回し部材４０を入れてピン付ボルト３５の先端に形成された−（マイナス）状の溝部３５ａに嵌合させて回すことによりピン付ボルト３５をフレーム３２から取り外す。これによれば、孔３８の径はピン付ボルト３５の径より若干大きい程度でよいので、天井板６には必要最小限の孔を開けるだけでよくなる。また、ねじ回し部材４０の二又部４０ａの長さはピン３４の長さよりも長いので、ねじ回し部材４０がピン３４に当接することなく簡単にピン付ボルト３５を取り外すことができる。
【００４２】
次に第４行程では、図８（ｅ）に示すように、天井板６の孔３８に円筒形のスペーサー４１を挿入する。これは、レール装着時に天井板６に傷などをつけないようにするためである。
その後、図８（ｆ）に示すように、−（マイナス）ねじ回し４２でレール３９に貫通させた取付ボルト４３を、ピン付ボルト３５のかわりにナット３３に螺合させることにより、図９に示すように、取付ボルト４３の先端にレール３９が取り付けられる。
【００４３】
なお再度、レール３９を取り外す時には、取付ボルト４３およびスペーサー４１を取り外した後、図１０（ａ）に示すように、ねじ回し部材４０でピン付ボルト３５をナット３３に再度螺合させる。そして、図１０（ｂ）に示すように、スモールポイント３７よりも少し大きいミディアムポイント４４を孔３８に嵌め込み、かつピン３４に差し込むことにより装着する。
【００４４】
これにより、特に天井板６をはいだり、貼り直したりする必要がなく、いつでも簡易に介護用リフター８が嵌め込まれるレール３９を着脱自在に取り付けることができる。また、フレーム３２の下部に貼られた天井板６を木槌３６などで天井板６の下側からフレーム３２側に打ちつけるだけで簡単にレール３９の取付位置がわかるので取付作業を効率よく実施することができる。更にスモールポイント３７やミディアムポイント４４はピン３４に差し込まれるので容易に装着できるとともに簡単に抜け落ちる心配もない。
【００４５】
【発明の効果】
以上のとおり本発明の介護用天井走行リフトの取付方法によれば、事後的に介護用リフターが嵌め込まれるレールの取付工事をするのではなく、建築工事段階から取付具を設置し、その後いつでも、取付部材の先端に介護用リフターが嵌め込まれるレールを着脱自在に取り付けられるようにするので、事後的工事と比較して天井板のはぎ取り，貼り直し，並びに構造材を壊してアンカーを打つといった与分な作業をする必要はない。したがって、取付工事費用の低下と作業性の向上が図られる。
【００４６】
また、本発明の介護用天井走行リフトの取付方法によれば、上記効果に加えて建築工事段階において、取付具は天井上方に格納されるので、非取付時に取付ボルトが天井から屋内に突出することはない。したがって見栄えがよく、安全性に優れる。
【００４７】
更に、取付ボルトの下部位置をマークするので、レール取付時の天井板の下から孔を開ける際の位置が容易にわかり取付作業の効率が向上する。
【００４９】
更に、本発明の介護用天井走行リフトの取付方法によれば、事後的に介護用リフターが嵌め込まれるレールの取付工事をするのではなく、建築工事段階において、フレームが下部に固着されたアンカーボルトの上部を天井上方の構造材に固定した後、フレーム下部に天井板を貼るので、取付具は天井上方に格納され、また取付ボルトも後付であるため非取付時に取付部材が天井から屋内に突出することはない。そして、介護用リフターが嵌め込まれるレールの取付時には、天井板の下から孔を開け、取付ボルトをピン付ボルトにかえて天井板の下から入れ天井板を貫通させてフレームに支持させてレールを取り付けるので、事後的工事と比較して天井板のはぎ取り，貼り直し，並びに構造材を壊してアンカーを打つといった与分な作業をする必要はない。
しかもフレームに螺合されたピン付ボルトにより、フレームの下部に貼られた天井板を例えば木槌などで天井板の下側からフレーム側に打ちつけるだけで簡単にレールの取付位置がわかるので取付作業を効率よく実施することができる。更にマーカーはピンに差し込まれるので容易に装着できるとともに簡単に抜け落ちる心配もない。
【００５０】
更に好ましくは、ピン付ボルトの先端の頭部にはピンを中心に−（マイナス）状の溝部が形成されており、ピン付ボルトをフレームから取り外す場合には、先端が二又に分かれその二又部が少なくともピンの長さよりも長いねじ回し部材を天井板の下から入れてピン付ボルトの−（マイナス）状の溝部に嵌合させて回すことにより行われるので、天井板に開けられる孔の径はピン付ボルトの径より若干大きい程度でよい。また、ねじ回し部材の二又部の長さはピンの長さよりも長いので、ねじ回し部材がピンに当接することなく簡単にピン付ボルトを取り外すことができる。
【図面の簡単な説明】
【図１】本発明の第１の実施の形態に使用される介護用天井走行リフトの取付具を示す正面図である。
【図２】図１に示す介護用天井走行リフトの取付具に介護用リフター８が嵌め込まれたレール９が取り付けられた状態を示す正面図である。
【図３】本発明の第２の実施の形態に使用される介護用天井走行リフトの取付具を示す正面図である。
【図４】図３のＡ−Ａ線断面図である。
【図５】本発明の第２の実施の形態に係る介護用天井走行リフトの取付方法を（ａ），（ｂ），（ｃ），（ｄ），（ｅ）の順に示す、図３のＡ−Ａ線断面図である。
【図６】本発明の第３の実施の形態に使用される介護用天井走行リフトの取付具を示す斜視図である。
【図７】本発明の第３の実施の形態に使用されるもう一つの介護用天井走行リフトの取付具を示す斜視図である。
【図８】本発明の第４の実施の形態に係る介護用天井走行リフトの取付方法を（ａ），（ｂ），（ｃ），（ｄ），（ｅ），（ｆ）の順に示す断面図である。
【図９】レール３９が取り付けられた状態を示す断面図である。
【図１０】取り付けられたレール３９を再度取り外した後にミディアムポイント４４を取り付ける方法を（ａ），（ｂ）の順に示す断面図である。
【図１１】図８（ｆ）に示すピン付ボルト３５と、それに嵌合するねじ回し部材４０を示す拡大斜視図である。
【符号の説明】
１      ボルト
２      フレーム
３，４      アンカーボルト
５      構造材
６      天井板
８      介護用リフター
９      レール
１１      取付ボルト
１２      フレーム
１３      ネジ部材
２２      フレーム
２４      Ｔボルト
２５      フレーム
２６      ボルト
３２      フレーム
３３      ナット
３４      ピン
３５      ピン付ボルト
３５ａ    溝部
３７      スモールポイント（マーカー）
３８      孔
３９      レール
４０      ねじ回し部材
４０ａ    二又部
４３      取付ボルト
【図１】
0003749748.tif 000002
【図２】
0003749748.tif 000003
【図３】
0003749748.tif 000004
【図４】
0003749748.tif 000005
【図５】
0003749748.tif 000006
【図６】
0003749748.tif 000007
【図７】
0003749748.tif 000008
【図８】
0003749748.tif 000009
【図９】
0003749748.tif 000010
【図１０】
0003749748.tif 000011
【図１１】
0003749748.tif 000012